Podtech/llm-jp-corpus-v4-ja_patent huggingface dataset:
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
一つまたは複数のタッチ入力からのタッチ圧力に応答する感圧式マルチタッチ・デバイスであって：
第一の層上に配列された一連の行導体と；
第二の層上に配列された一連の列導体であって、前記一連の列導体は前記一連の行導体に対向し、前記一連の列導体と前記一連の行導体の交差部が感圧セルのマトリクスをなし、各感圧セルの電気抵抗はそのセルに加えられた力の大きさと逆の関係にある、列導体と；
タッチの力が加えられていないときに前記交差部において行導体と列導体を電気的に絶縁する、前記第一の層と前記第二の層の間に配置される一連のスペーサーと；
平坦な側および該平坦な側の反対側の複数のバンプを含む力拡散エラストマー・シートであって、各バンプは異なる感圧セルと整列しており、前記平坦な側に向けられたタッチの力を前記感圧セルのうち二つ以上の感圧セルに拡散させるような大きさおよび形にされている、力拡散エラストマー・シートとを有する、
感圧式マルチタッチ・デバイス。
【請求項２】
各感圧セルが、そのセルに加えられる力の大きさに比例する電気抵抗の減少を示すよう構成されている、請求項１記載の感圧式マルチタッチ・デバイス。
【請求項３】
各感圧セルが、交差部の前記列導体と前記行導体の間に力感応性の抵抗材料を含む、
請求項１または２記載の感圧式マルチタッチ・デバイス。
【請求項４】
前記力拡散エラストマー・シートの各バンプは、そのバンプに近接した接触領域に加えられた力に応答して異なる感圧セルを閉じるような大きさおよび形にされている、請求項１記載の感圧式マルチタッチ・デバイス。
【請求項５】
前記力拡散エラストマー・シートが、タッチの力を、該タッチの力に比例して二つ以上の感圧セルに拡散するよう構成されている、請求項１記載の感圧式マルチタッチ・デバイス。
【請求項６】
命令を実行するよう構成された論理サブシステムと；
前記二つ以上の感圧セルにおいて測定された電気抵抗から、所与のタッチ入力の接触領域の位置を補間するために前記論理サブシステムによって実行可能な命令を保持するデータ保持サブシステムとをさらに有する、
請求項１記載の感圧式マルチタッチ・デバイス。
【請求項７】
一つまたは複数のタッチ入力を検出するよう構成された感圧式マルチタッチ・デバイスであって、当該感圧式マルチタッチ・デバイスは：
感圧セルのマトリクスであって：
複数の列導体を有する第一の層；および
前記第一の層に対向する、複数の行導体を有する第二の層を有するマトリクスと；
列導体と行導体の各交差部における感圧セルとを有しており、
各感圧セルは：
当該感圧セルのところで交差する前記列導体の部分と前記行導体の部分の間にある力感応性の抵抗材料であって、前記力感応性の抵抗材料は、加えられる力がないときは前記列導体の前記部分と前記行導体の前記部分の間にギャップを残し、前記力感応性の抵抗材料はそのセルに加えられる力の大きさに比例して抵抗を減少させるよう構成されている、力感応性の抵抗材料と；
当該感圧セルや近隣の感圧セルに力が加えられていないときに、前記列導体の前記部分と前記行導体の前記部分を前記ギャップをもって電気的に絶縁し、機械的に分離するよう構成された一つまたは複数のスペーサーとを有しており、
当該感圧式マルチタッチ・デバイスはさらに、
平坦な側および該平坦な側の反対側の複数のバンプを含む力拡散エラストマー・シートであって、各バンプは異なる感圧セルと整列しており、前記平坦な側に向けられたタッチ入力の力を前記感圧セルのマトリクス内の二つ以上の感圧セルに拡散させるような大きさおよび形にされている、力拡散エラストマー・シートを有する、
感圧式マルチタッチ・デバイス。
【請求項８】
前記力拡散エラストマー・シートが、前記タッチ入力の力を、前記タッチ入力の力の大きさに比例して二つ以上の感圧セルに拡散させるよう構成されている、請求項７記載の感圧式マルチタッチ・デバイス。
【請求項９】
前記力拡散エラストマー・シートが、前記タッチ入力の力を、前記タッチ入力の接触領域からの距離の関数として拡散させるよう構成されている、請求項８記載の感圧式マルチタッチ・デバイス。
【請求項１０】
前記力拡散エラストマー・シートが、前記タッチ入力の力を、前記接触領域により近い感圧セルにより大きな力を与えるように拡散させるよう構成されている、請求項９記載の感圧式マルチタッチ・デバイス。
【手続補正書】
【提出日】平成27年3月28日(2015.3.28)
【手続補正１】
【補正対象書類名】特許請求の範囲
【補正対象項目名】全文
【補正方法】変更
【補正の内容】
【特許請求の範囲】
【請求項１】
眼瞼疾患の治療用の経皮薬物送達システムであって、前記システムは支持体上に設けられた感圧粘着層を含み、前記感圧粘着層はステロイドを含み、かつ、前記治療を必要とする患者の眼瞼の皮膚表面に局所的に貼付される前記システム。
【請求項２】
前記感圧粘着層が、アクリル系の感圧粘着層、ゴムベースの感圧粘着層およびシリコーンベースの感圧粘着層からなる群から選択される、請求項１に記載の経皮薬物送達システム。
【請求項３】
前記感圧粘着層が、アクリル系の感圧粘着層である、請求項２に記載の経皮薬物送達システム。
【請求項４】
前記ステロイドが、クロベタゾールプロピオネイト、クロベタゾールブチレイト、ベタメタゾンジプロピオネイト、アムシノニドおよびロテプレドノールエタボネイトからなる群から選択される、請求項１に記載の経皮薬物送達システム。
【請求項５】
前記ステロイドが、クロベタゾールプロピオネイトおよびクロベタゾールブチレイトからなる群から選択される、請求項４に記載の経皮薬物送達システム。
【請求項６】
前記ステロイドの濃度が、前記経皮薬物送達システムの全重量の0.005〜5w/w%である、請求項４に記載の経皮薬物送達システム。
【請求項７】
前記眼瞼の疾患が、霰粒腫、眼瞼炎およびマイボーム腺機能不全からなる群から選択される少なくとも１つである、請求項１に記載の経皮薬物送達システム。
【請求項８】
前記経皮薬物送達システムの面積が10cm2以下である、請求項１に記載の経皮薬物送達システム。
【請求項９】
霰粒腫、眼瞼炎およびマイボーム腺機能不全からなる群から選択される少なくとも１つの眼瞼の疾患の治療用の経皮薬物送達システムであって、前記システムは、支持体上に設けられたアクリル系の感圧粘着剤を含み、前記アクリル系の感圧粘着剤はクロベタゾールプロピオネイトを含み、かつ、前記システムは、前記治療を必要とする患者の眼瞼の皮膚表面に局所的に貼付されるものである前記システム。
【手続補正２】
【補正対象書類名】明細書
【補正対象項目名】００８７
【補正方法】変更
【補正の内容】
【００８７】
【表３】
2014519955.tif 000001
【手続補正３】
【補正対象書類名】明細書
【補正対象項目名】０１１２
【補正方法】変更
【補正の内容】
【０１１２】
【表１０】
2014519955.tif 000002
【手続補正４】
【補正対象書類名】明細書
【補正対象項目名】０１２０
【補正方法】変更
【補正の内容】
【０１２０】
【表１２】
2014519955.tif 000003
【手続補正５】
【補正対象書類名】明細書
【補正対象項目名】０１２２
【補正方法】変更
【補正の内容】
【０１２２】
【表１３】
2014519955.tif 000004
【手続補正６】
【補正対象書類名】明細書
【補正対象項目名】０１２４
【補正方法】変更
【補正の内容】
【０１２４】
【表１４】
2014519955.tif 000005
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
サワー水性ガスシフトプロセスでの使用に適した触媒を調製するための触媒前駆体であって、チタニア触媒担体上に担持された、
５から３０重量％の酸化タングステンおよび酸化モリブデンから選択される触媒活性金属酸化物と、
１から１０重量％の酸化コバルトおよび酸化ニッケルから選択されるプロモータ金属酸化物と、
５から１５重量％のナトリウムおよびカリウムから選択されるアルカリ金属の酸化物と
を含み、前記チタニア触媒担体が、８５％ｗｔ以上のチタニアを含むバルクチタニア触媒担体またはチタニアコーティング触媒担体である、触媒前駆体。
【請求項２】
前記触媒活性金属酸化物が酸化モリブデンである、請求項１に記載の触媒前駆体。
【請求項３】
前記プロモータ金属酸化物が酸化コバルトである、請求項１または請求項２に記載の触媒前駆体。
【請求項４】
前記アルカリ金属酸化物が酸化カリウムである、請求項１から３のいずれか一項に記載の触媒前駆体。
【請求項５】
前記触媒活性金属酸化物が、５から１５重量％の範囲内の量で存在する、請求項１から４のいずれか一項に記載の触媒前駆体。
【請求項６】
前記触媒活性金属酸化物が、５から１０重量％の範囲内の量で存在する、請求項１から４のいずれか一項に記載の触媒前駆体。
【請求項７】
前記プロモータ金属酸化物が、２から７重量％の範囲内の量で存在する、請求項１から６のいずれか一項に記載の触媒前駆体。
【請求項８】
前記バルクチタニア触媒担体が、９０％ｗｔ以上のチタニアを含む、請求項１から７のいずれか一項に記載の触媒前駆体。
【請求項９】
前記バルクチタニア触媒担体が、９５％ｗｔ以上のチタニアを含む、請求項１から７のいずれか一項に記載の触媒前駆体。
【請求項１０】
前記チタニアコーティング触媒担体が、２から４０％ｗｔのチタニアをコア材料上の表面層として含む、請求項１から７のいずれか一項に記載の触媒前駆体。
【請求項１１】
前記コア材料が、多孔性担体である、請求項１０に記載の触媒前駆体。
【請求項１２】
前記コア材料が、非多孔性担体である、請求項１０に記載の触媒前駆体。
【請求項１３】
前記触媒活性金属の少なくとも一部が、一種以上の金属硫化物の形態である、請求項１から１２のいずれか一項に記載の硫化触媒前駆体を含む触媒。
【請求項１４】
請求項１から１２のいずれか一項に記載の触媒前駆体を調製する方法であって、（ｉ）チタニア触媒担体に、タングステンおよびモリブデンの化合物から選択される触媒活性金属化合物ならびにコバルトおよびニッケルの化合物から選択されるプロモータ金属化合物を含む溶液を含浸させるステップと、（ｉｉ）前記含浸させたチタニア担体を乾燥させ、場合により焼成して第一の材料を形成するステップと、（ｉｉｉ）前記第一の材料に、ナトリウム、およびカリウムの化合物から選択されるアルカリ金属化合物の溶液を含浸させるステップと、（ｉｖ）前記含浸させた材料を乾燥させ、焼成して、焼成された第二の材料を形成するステップとを含む方法。
【請求項１５】
前記チタニア触媒担体が、チタン化合物をアルカリ金属化合物で沈殿させ、場合により前記沈殿物を水で洗浄してアルカリ金属化合物を除去し、前記洗浄された材料を乾燥させ、焼成することによって調製される、請求項１４に記載の方法。
【請求項１６】
前記チタニア触媒担体が、コア材料の表面をチタン化合物でコーティングし、前記コーティングされた材料を加熱して、前記チタン化合物をチタニアに変換することによって調製される、請求項１４に記載の方法。
【請求項１７】
前記第一の材料のウォッシュコートを調製するステップと、前記ウォッシュコートをコア材料に塗布するステップと、次いで、前記ウォッシュコーティングされたコア材料をアルカリ金属の溶液の含浸前に乾燥させ、焼成するステップとを含む、請求項１４に記載の方法。
【請求項１８】
前記焼成された第二の材料を形成するための焼成が、４５０〜８００℃、好ましくは４７５〜６００℃の範囲内の温度で実施される、請求項１４から１７のいずれか一項に記載の方法。
【請求項１９】
前記焼成された第二の材料が粉末である場合、前記第二の焼成された材料をペレットまたは押し出し物に成形するステップをさらに含む、請求項１４から１８のいずれか一項に記載の方法。
【請求項２０】
請求項１から１２のいずれか一項に記載の、または請求項１４から１９のいずれか一項に記載の方法に従って調製される通りの触媒前駆体を、硫化用化合物で硫化するステップを含む、請求項１３に記載の触媒を調製する方法。
【請求項２１】
前記硫化するステップが、硫化水素を含むガスを用いて実施される、請求項２０に記載の方法。
【請求項２２】
水素、蒸気、一酸化炭素および二酸化炭素を含み、かつ一種以上の硫黄化合物を含む合成ガスを、請求項１３に記載の、または請求項２０もしくは２１に記載の方法に従って調製される通りの触媒と接触させるステップを含む、水性ガスシフトプロセス。
【請求項２３】
前記合成ガス中における前記蒸気対一酸化炭素のモル比が、０．５から１．８：１の範囲内である、請求項２２に記載のプロセス。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
ポリマー繊維を含む少なくとも１つの不織シートを含む液体濾過媒体であって、前記不織シートが、少なくとも１０ｍｌ／分／ｃｍ2／ＫＰａの水流量および少なくとも３．０のフィルター屈曲係数を有する、液体濾過媒体。
【請求項２】
ポリマー繊維を含む少なくとも１つの不織シートを含む液体濾過媒体を含む、液体から粒子を濾過するためのフィルターシステムであって、前記不織シートが少なくとも１０ｍｌ／分／ｃｍ2／ＫＰａの水流量および少なくとも３．０のフィルター屈曲係数を有する、フィルターシステム。
【請求項３】
ノルマルペンタンとシクロペンタンとの混合物からなる紡糸剤中のポリエチレン１２〜２４重量％の溶液を約２０５℃〜２２０℃の紡糸温度にてフラッシュ紡糸して、プレキシフィラメント状繊維ストランドを形成し、前記プレキシフィラメント状繊維ストランドを未結合ウェブへと収集する工程と、
約５ｃｍ〜約３０ｃｍ離して位置付けられた約１２４℃〜約１５４℃の温度の加熱延伸ロールロール間で縦方向に前記未結合ウェブを一軸延伸し、約３％〜２５％延伸して延伸ウェブを形成する工程と、
約１２４℃〜約１５４℃の温度の加熱結合ロール間の延伸ウェブを結合して、少なくとも１０ｍｌ／分／ｃｍ2／ＫＰａの水流量および少なくとも３．０のフィルター屈曲係数を有する不織シートを形成する工程と、
を含む、液体濾過媒体を製造する方法。
【手続補正２】
【補正対象書類名】明細書
【補正対象項目名】００５２
【補正方法】変更
【補正の内容】
【００５２】
本発明の不織シートにより、スパンボンド／メルトブローシート、スパンボンド／メルトブロー／スパンボンドシート、メルトブローナノ繊維シートおよびカレンダー加工メルトブローシートなどの先行技術の液体濾過媒体と比較して、水流量とフィルター屈曲係数の組み合わせの向上が実証される。
本発明のまた別の態様は、以下のとおりであってもよい。
〔１〕ポリマー繊維を含む少なくとも１つの不織シートを含む液体濾過媒体であって、前記不織シートが、少なくとも１０ｍｌ／分／ｃｍ2／ＫＰａの水流量および少なくとも３．０のフィルター屈曲係数を有する、液体濾過媒体。
〔２〕前記ポリマー繊維が、ポリオレフィン、ポリエステル、ポリアミド、ポリアラミド、ポリスルホン、ポリイミド、フッ素化ポリマーおよびその組み合わせからなる群から選択されるポリマーから製造される、前記〔１〕に記載の液体濾過媒体。
〔３〕前記ポリマー繊維が、非円形断面を有する、前記〔１〕に記載の液体濾過媒体。
〔４〕前記ポリマー繊維が、プレキシフィラメント状繊維ストランドである、前記〔１〕に記載の液体濾過媒体。
〔５〕前記不織シートが、縦方向に一軸延伸された不織シートである、前記〔１〕に記載の液体濾過媒体。
〔６〕前記不織シートが、粒径０．５マイクロメートルにて少なくとも５０％の濾過効率定格および少なくとも２．９分／ｇ／ｍ2の不織シートの基本重量に対して正規化された耐用寿命を有する、前記〔１〕に記載の液体濾過媒体。
〔７〕ポリマー繊維を含む少なくとも１つの不織シートを含む液体濾過媒体を含む、液体から粒子を濾過するためのフィルターシステムであって、前記不織シートが少なくとも１０ｍｌ／分／ｃｍ2／ＫＰａの水流量および少なくとも３．０のフィルター屈曲係数を有する、フィルターシステム。
〔８〕前記ポリマー繊維が、ポリオレフィン、ポリエステル、ポリアミド、ポリアラミド、ポリスルホン、ポリイミド、フッ素化ポリマーおよびその組み合わせからなる群から選択されるポリマーから製造される、前記〔７〕に記載のフィルターシステム。
〔９〕前記ポリマー繊維が、非円形断面を有する、前記〔７〕に記載のフィルターシステム。
〔１０〕前記ポリマー繊維が、プレキシフィラメント状繊維ストランドである、前記〔７〕に記載のフィルターシステム。
〔１１〕前記不織シートが、縦方向に一軸延伸された不織シートである、前記〔７〕に記載のフィルターシステム。
〔１２〕前記不織シートが、粒径０．５マイクロメートルにて少なくとも５０％の濾過効率定格および少なくとも２．９分／ｇ／ｍ2の不織シートの基本重量に対して正規化された耐用寿命を有する、前記〔７〕に記載のフィルターシステム。
〔１３〕不織シートに隣接し、向き合って位置し、かつ前記不織シートの上流に位置するプレフィルター層、不織シートに隣接し、向き合って位置し、かつ前記不織シートの下流に位置する精密濾過膜、およびその組み合わせからなる群から選択される、少なくとも１つの更なる液体濾過媒体をさらに含む、前記〔７〕に記載のフィルターシステム。
〔１４〕自動圧力フィルター、カートリッジ、フィルターバッグ、プリーツフィルターバッグおよびフィルターソックスからなる群から選択される、前記〔７〕に記載のフィルターシステム。
〔１５〕ノルマルペンタンとシクロペンタンとの混合物からなる紡糸剤中のポリエチレン１２〜２４重量％の溶液を約２０５℃〜２２０℃の紡糸温度にてフラッシュ紡糸して、プレキシフィラメント状繊維ストランドを形成し、前記プレキシフィラメント状繊維ストランドを未結合ウェブへと収集する工程と、
約５ｃｍ〜約３０ｃｍ離して位置付けられた約１２４℃〜約１５４℃の温度の加熱延伸ロールロール間で縦方向に前記未結合ウェブを一軸延伸し、約３％〜２５％延伸して延伸ウェブを形成する工程と、
約１２４℃〜約１５４℃の温度の加熱結合ロール間の延伸ウェブを結合して、少なくとも１０ｍｌ／分／ｃｍ2／ＫＰａの水流量および少なくとも３．０のフィルター屈曲係数を有する不織シートを形成する工程と、
を含む、液体濾過媒体を製造する方法。
【手続補正書】
【提出日】平成27年3月6日(2015.3.6)
【手続補正１】
【補正対象書類名】明細書
【補正対象項目名】００３９
【補正方法】変更
【補正の内容】
【００３９】
ランセット軸の一部分を選択的にアニールすることによって、又は隣接する感知コイルの間の連結を可能にするために十分な透磁性を備えたフェライトのような、ランセットアセブリにおける部品を含むことによって透過領域が創出される。コイルサイズ、巻き数、駆動電流、信号増幅及び透過領域への空気間隙は設計プロセスにおいて特定される。別の実施態様において、フィードバック制御によって、基本変位プロファイル上に高周波振動を重ねる圧電ドライバが供される。圧電ドライバは改善された切断効率を供し、そしてランセットの前進する端部の振動の高周波によって生み出されたキャビテーションエネルギを用いてランセットが組織内にその道を「のこぎりで切る（sew）」こと、又は細胞を破壊することを可能にすることによって痛みを低減する。圧電ドライバに対する駆動パワーは、デバイスが目標組織と相互作用するときのインピーダンスシフトに対して監視される。得られる力測定は、ランセットの公知の質量と連結して、ランセットの加速、速度及び位置を決定するために使用される。
【手続補正２】
【補正対象書類名】特許請求の範囲
【補正対象項目名】全文
【補正方法】変更
【補正の内容】
【特許請求の範囲】
【請求項１】
ランシングサイクル中に、駆動力をランセットにかけるように構成され、そして組織部位上で使用されるドライバを備えたランセットデバイスであって、該ドライバは：
ハウジング；
サンプルチャンバを備えたハウジング内に位置するランセット；
経路に沿って該ランセットを組織部位内に前進させるための駆動力発生器；
該ハウジングは、使用者が、ランセットが装着されている、装着されていない、ランチ中に動いていることを視的に確認することが可能になり、そしてベアリングアクチュエータを潜在的に損なう血液、埃、又は他の物体のような物理的汚染を除去、及びハウジング窓を取り除くことによるクリーニングを可能にする第二の機能が可能になる、透明又は半透明のハウジング窓を含み；及び
ユーザーインターフェース入力用の複数位置手動スイッチ；
を含んで成る、上記デバイス。
【請求項２】
更に、操作中に、低電池、充電、ランセットの存在、デバイスエラー条件、ランチ準備完了、及び電池交換を要求する表示の少なくとも１つから選択される、種々の異なるユーザーインターフェース出力を示すために使用される、ＬＥＤ又は光源：
を含んでなる、請求項１に記載のデバイス。
【請求項３】
更に、ユーザーインターフェースインジケータ：
を含んで成る、請求項２に記載のデバイス。
【請求項４】
更に、透明なランセット検出窓：
を含んで成る、請求項３に記載のデバイス。
【請求項５】
更に、角度のある円筒状ハウジング：
を含んで成る、請求項４に記載のデバイス。
【請求項６】
角度のある円筒状ハウジングが、異なった円筒状形の２つの容量を供する、請求項１のデバイス。
【請求項７】
一方の形がより大きなもの用であり、そしてより小さな直径の容量は追加ハードウエア用である、請求項６に記載のデバイス。
【請求項８】
追加ハードウエアが、アクチュエータ組立体、高電圧キャパシタ、ＰＣＢ及び電気部品、変換器、エンコーダー、並びにマイクロコントローラの少なくとも１つから選択される、請求項７に記載のデバイス。
【請求項９】
複数位置機械スイッチが、固定された又は機械的に索引をつけられた位置を有する、請求項１に記載のデバイス。
【請求項１０】
更に、操作中に深さ設定範囲を供する、インターフェース入力制御：
を含んで成る、請求項１に記載のデバイス。
【請求項１１】
デバイスが、０.４０グラム未満の合計の動いている質量を有する、請求項１に記載のデバイス。
【請求項１２】
更に、ランシング軌跡を正確に画成するためのガイドを供する複数のベアリング：
を含んで成る、請求項１に記載のデバイス。
【請求項１３】
更に、ドライバに連結されるプロセッサであって、プロセッサが使用者入力情報に応じてカスタム化し得るメモリ中の使用者プロファイルを保存する、上記プロセッサ：
を含んで成る、請求項１のデバイス。
【請求項１４】
透明又は半透明のハウジング窓が、符号の光透過又は部分的光透過を可能にするように構成される、請求項１のデバイス。
【請求項１５】
符号が、電池の状態、ランセット存在の符号、オーデイオのオン／オフ、深さ設定、及びデータ管理モードの少なくとも１つから選択される、請求項１４に記載のデバイス。
【請求項１６】
プロセッサが、データベースに連結する又はデータベースを説明する、請求項１３に記
載のデバイス。
【請求項１７】
プロセッサが、無痛の程度、成功率、及び血液容量の少なくとも１つから選択される使用者プロファイルの特色を含む、請求項１３に記載のデバイス。
【請求項１８】
更に、ランシングイベントに関する日時、及びランシングイベント間の時間の少なくとも１つから選択される情報を含むデータベース中での保存を可能にする、内部時計：
を含んで成る、請求項２に記載のデバイス。
【請求項１９】
データベースが、各使用者の情報及び統計、並びに、特別な使用者が使用する各プロファイルを保存する、請求項１８に記載のデバイス。
【請求項２０】
プロセッサが、使用者に必要な適切なランセットの直径及び幾何形状を計算するように構成される、請求項１３に記載のデバイス。
【請求項２１】
ランセットの各クラスに対して、直径及びランセット幾何形状が、達成され得る血液容量の上下限に対応するために、プロセッサ中に保存される、請求項２０に記載のデバイス。
【請求項２２】
プロセッサが、使用者が情報を取ることを駆り立てるように構成される、請求項１３のデバイス。
【請求項２３】
プロセッサが、ランシングイベントの始めに使用者が情報を取ることを駆り立てるように構成される、請求項１３のデバイス。
【請求項２４】
プロセッサが、異なるプロファイルに対して変換するか又は既存プロファイルを修正するように構成される、請求項１３のデバイス。
【請求項２５】
設定された使用者プロファイルに応じて、ランセットを駆動する力が、使用者プロファイルに従って前進及び後退中に変えられる、請求項１３に記載のデバイス。
【請求項２６】
プロセッサが、ランシングサイクルの各段階に対するランシングプロファイルを決定するように構成される、請求項１３に記載のデバイス。
【請求項２７】
プロセッサが、引き続くランシングイベントに対するプロファイルの特色を最適化するように構成される、請求項１３に記載のデバイス。
【請求項２８】
更に、グルコース測定のオーデイオ出力を供する電子機器：
を含んでなる、請求項１に記載のデバイス。
【請求項２９】
電子機器が警報器を含む、請求項２８に記載のデバイス。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
処置システムによって角膜組織に適用する光活性の分布を決定するシステムであり、
光活性マーカで処置された角膜組織に光を方向づける励起源であって、光が光活性マーカに蛍光を発生させる、励起源と、
角膜組織に光を方向づけている前記励起源に応じて角膜組織の１つ以上の断面画像を捕捉する画像捕捉システムであって、それぞれの断面画像が、角膜組織のそれぞれの断面に沿って蛍光を発している光活性マーカを示す、画像捕捉システムと、
１つ以上の断面画像を受け取り、角膜組織全体の様々な深さでの光活性マーカの分布に関する情報を決定する制御装置と、
を含むシステムであって、
前記励起源が、軸に沿って、角膜組織に光を方向づけ、
前記画像捕捉システムが、カメラ及びレンズを備え、
前記カメラが、前記レンズを介して、角膜組織の１つ以上の断面画像を捕捉し、
前記カメラ及び前記レンズが、光によって定められた前記軸からずれており、
前記カメラが、像面を定め、
前記レンズが、レンズ面を定め、
前記レンズ面が、前記像面から離れており、
角膜組織の１つ以上の断面画像が、カメラ及びレンズによって定められる焦点面に関連し、
像面、レンズ面及び焦点面のすべてが、共通の交点で交わるように、前記カメラ及び前記レンズが配向する、システム。
【請求項２】
前記励起源が１つ以上の光のスリットとして角膜組織に光を方向づけ、前記カメラが前記１つ以上の光のスリットによって角膜組織を捕捉する、請求項１に記載のシステム。
【請求項３】
前記励起源が、角膜組織に光を選択的に方向づけるために、デジタルマイクロミラーデバイス（ＤＭＤ）を備える、請求項１又は２に記載のシステム。
【請求項４】
前記焦点面が、少なくとも１つのカメラによって捕捉された、処置された角膜組織に対応する角膜表面の頂点に接する面とおおよそ平行である、請求項１〜３のいずれか１項に記載のシステム。
【請求項５】
前記共通の交点及び前記励起源が、前記角膜表面の頂点とは反対側に配置される、請求項４に記載のシステム。
【請求項６】
前記励起源及び前記画像捕捉システムが、角膜組織の複数の断面画像を捕捉するために、角膜組織のまわりを回転する、請求項１〜５のいずれか１項に記載のシステム。
【請求項７】
前記制御装置が、角膜組織全体の様々な深さでの一定時間内の光活性マーカの分布を決定し、それにより、角膜組織による光活性マーカの摂取速度を決定する、請求項１〜６のいずれか１項に記載のシステム。
【請求項８】
前記システムが処置システムをさらに含み、光活性マーカが、架橋剤であり、前記処置システムが、角膜組織の架橋活動を活性化するために紫外線のパターンを角膜組織に適用することによって、眼の処置を調節する、請求項１〜７のいずれか１項に記載のシステム。
【請求項９】
前記処置システムが、光活性マーカの所望の分布を実現するために追加的な光活性マーカを適用することによって、角膜組織の処置を調節する、請求項８に記載のシステム。
【請求項１０】
前記共通の交点、前記カメラ及び前記レンズが、光によって定められた軸と同じ側に配置される、請求項１〜９のいずれか１項に記載のシステム。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
哺乳動物の心臓の電気的活動を調節するためのスポンジ組成物であって、
細胞外マトリックス（ＥＣＭ）組成物であって、小腸粘膜下層（ＳＩＳ）を含む哺乳動物組織源からの無細胞ＥＣＭを含むＥＣＭ組成物、を含み、
前記ＥＣＭが、プロテオグリカン、形質転換増殖因子アルファ（ＴＧＦ‐アルファ）、形質転換増殖因子ベータ（ＴＧＦ‐ベータ）、線維芽細胞増殖因子‐２（ＦＧＦ‐２）、及び血管内皮増殖因子（ＶＥＧＦ）を含み、
前記ＥＣＭがさらに、該ＥＣＭに結合するスタチンを含み、
前記ＥＣＭ組成物が哺乳動物の心臓に投与されると、前記スタチンが前記ＥＣＭと相互作用してＲｈｏＡの活性化を制限し、及びマトリックスメタロプロテアーゼ（ＭＭＰ）の産生を低減し、それによって前記ＥＣＭ組成物が前記哺乳動物の心臓の電気的活動を調節し、
前記ＥＣＭ組成物が生分解性スポンジ組成物の形態であることを特徴とする組成物。
【請求項２】
前記哺乳動物組織源が、膀胱粘膜下層、胃粘膜下層、肝臓粘膜下層、及び肝臓基底膜から成る群から選択される細胞外マトリックスを含むことを特徴とする請求項１に記載された組成物。
【請求項３】
前記ＥＣＭがさらに、幹細胞因子（ＳＣＦ）、ストロマ細胞由来因子‐１（ＳＤＦ‐１）、顆粒球マクロファージコロニー刺激因子（ＧＭ‐ＣＳＦ）、インターフェロンガンマ（ＩＦＮ‐ガンマ）、インターロイキン‐３、インターロイキン‐４、インターロイキン‐１０、インターロイキン‐１３、白血病阻止因子（ＬＩＦ）、アンフィレグリン、トロンボスポンジン１、トロンボスポンジン２、トロンボスポンジン３、トロンボスポンジン４、トロンボスポンジン５、及びアンジオテンシン変換酵素（ＡＣＥ）からなる群から選択されるサイトカインを含むことを特徴とする請求項１に記載された組成物。
【請求項４】
前記スタチンが、ロバスタチン、シンバスタチン、アトルバスタチン、フルバスタチン、プラバスタチン、ロスバスタチン、セルビスタチン、及びピタバスタチンから成る群から選択されることを特徴とする請求項１に記載された組成物。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
呼吸療法装置のユーザーに対する呼吸療法のモードを構成するシステムであり、コンピュータプログラムモジュールを実行するように構成される１つ以上の処理器を有するシステムにおいて、
前記コンピュータプログラムモジュールは、
（１）呼吸療法装置に関する使用情報を受信するように構成されるデータ収集モジュールであり、前記呼吸療法装置から受信した前記使用情報は、前記呼吸療法装置の治療的使用を示している、データ取集モジュール、
（２）前記呼吸療法装置が第１の治療モードで動作している間、第１のアンロック選択を受信するように構成されるプロバイダーインターフェースモジュールであり、前記第１のアンロック選択は、前記呼吸療法装置に対する第２の治療モードはアンロックされるべきであると示し、前記第２の治療モードは、前記第１のアンロック選択の受信の前に前記呼吸療法装置において使用できない、プロバイダーインターフェースモジュール、並びに
（３）前記プロバイダーインターフェースモジュールによる前記第１のアンロック選択の受信に応答して、装置構成モジュールが前記呼吸療法装置に対し前記第２の療法モードを活性化するように構成される装置構成モジュールであり、前記装置構成モジュールはさらに、既定の試用期間が終了した後、前記第２の治療モードを不活性化するように構成される装置構成モジュール
を有するシステム。
【請求項２】
前記装置構成モジュールは、前記第１のアンロック選択の受信に応答して、前記装置構成モジュールが前記呼吸療法装置に選択可能な受入領域を活性化させるように構成され、
前記選択可能な受入領域のユーザー選択は、前記第２の治療モードの受入を示し、並びに
前記呼吸療法装置に対する前記第２の治療モードの活性化はさらに、前記選択可能な受入領域のユーザー選択に応答している
請求項１に記載のシステム。
【請求項３】
前記呼吸療法装置に関するトリガーイベントが起きたかを判断するように構成されるトリガーモジュールをさらに有し、及び前記プロバイダーインターフェースモジュールによる前記第１のアンロック選択の受信は、トリガーイベントの発生に応答している、請求項１に記載のシステム。
【請求項４】
前記アンロックされる第２の治療モードは、マルチ圧力レベルモード及び／又は自動滴定モードの一方又は両方を含んでいる、請求項１に記載のシステム。
【請求項５】
前記第２の治療モードの不活性化は、第３の治療モードの活性化を有し、前記第２の治療モードは、前記第２の治療モードの不活性化の後、前記呼吸療法装置において使用できない、請求項１に記載のシステム。
【請求項６】
呼吸療法装置のユーザーに対する呼吸療法のモードを構成する方法において、
呼吸療法装置に関する使用情報を受信するステップであり、前記受信した使用情報は、前記呼吸療法装置の治療的使用を示している、ステップ、
前記呼吸療法装置に対する第２の治療モードはアンロックされるべきであると示している第１のアンロック選択を受信するステップであり、前記第２の治療モードは、前記第１のアンロック選択の受信の後、前記呼吸療法装置において使用できない、ステップ、
前記第１のアンロック選択の受信に応答して、前記呼吸療法装置に対し前記第２の治療モードを活性化するステップ、及び
既定の試用期間の終了に応答して、前記呼吸療法装置に対し前記第２の治療モードを不活性化するステップ
を有する方法。
【請求項７】
前記第２の治療モードを活性化するステップは、
前記呼吸療法装置に選択可能な受入領域を活性化させるステップであり、前記選択可能な受入領域のユーザー選択は前記第２の治療モードの受入を示している、ステップ、及び
前記選択可能な受入領域のユーザー選択に応答して、前記第２の治療モードを活性化するステップ
を有する請求項６に記載の方法。
【請求項８】
前記呼吸療法装置に関するトリガーイベントが起きたかを判断するステップをさらに有し、前記第１のアンロック選択の受信は、前記トリガーイベントの発生に応答している、請求項６に記載の方法。
【請求項９】
前記第２の治療モードは、マルチ圧力レベルモード及び／又は自動滴定モードの一方又は両方を含んでいる、請求項６に記載の方法。
【請求項１０】
前記呼吸療法装置から受信した前記使用情報はさらに、呼吸障害指数を示している、請求項６に記載の方法。
【請求項１１】
呼吸療法装置のユーザーに対する呼吸療法のモードを構成するシステムにおいて、
呼吸療法装置に関する使用情報を受信する手段であり、前記受信した使用情報は、前記呼吸療法装置の治療的使用を示している、手段
前記呼吸療法装置に対する第２の治療モードはアンロックされるべきであると示している第１のアンロック選択を受信する手段であり、前記第２の治療モードは、前記第１のアンロック選択の受信の前に前記呼吸療法装置において使用できない、手段、並びに
前記第１のアンロック選択の受信に応答して前記第２の治療モードを活性化する、及び既定の試用期間の終了に応答して前記第２の治療モードを不活性化する、手段
を有するシステム。
【請求項１２】
前記第２の治療モードを活性化する手段は、
前記呼吸療法装置に選択可能な受入領域を活性化させる手段であり、前記選択可能な受入領域のユーザー選択は、前記第２の治療モードの受入を示している、手段、及び
前記選択可能な受入領域のユーザー選択に応答して、前記第２の治療モードを活性化する手段、
を含む、請求項１１に記載のシステム。
【請求項１３】
前記呼吸療法装置に関するトリガーイベントが起きたかを判断する手段をさらに有し、前記第１のアンロック選択を受信する前記手段の動作は、前記トリガーイベントの発生に応答している、請求項１１に記載のシステム。
【請求項１４】
前記第２の治療モードは、マルチ圧力レベルモード及び／又は自動滴定モードの一方又は両方を含んでいる、請求項１１に記載のシステム。
【請求項１５】
前記使用情報はさらに呼吸障害指数を示している、請求項１１に記載のシステム。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
細長の本体であって、該本体の末端部と基端部との間に延在する中央管腔を含む細長の本体にして、上記末端部と基端部との間にある細長の本体の所定長さ沿いに湾曲部を含む細長の本体を有し、
上記基端部は、内視鏡の稼働チャネルに対して、取り外し自在に接続されるように構成されている、アダプター。
【請求項２】
上記湾曲部は、上記中央管腔を０°から９０°の間で偏向させる、請求項１記載のアダプター。
【請求項３】
上記湾曲部は、０．００２０インチから２インチの間の曲率半径を有する、請求項２記載のアダプター。
【請求項４】
上記細長の本体は、更に、直線部を有する、請求項２記載のアダプター。
【請求項５】
上記直線部は、０ｃｍから２０ｃｍの間にある、請求項４記載のアダプター。
【請求項６】
上記細長の本体の上記基端部は、上記稼働チャネルに内に押圧フィットするように構成されている、請求項２記載のアダプター。
【請求項７】
上記基端部は、テーパ状に形成されている、請求項６記載のアダプター。
【請求項８】
更に、上記細長の本体に取り付けられたスリーブを有し、該スリーブは、上記内視鏡の細長のシース上で滑るように構成されている、請求項２記載のアダプター。
【請求項９】
上記スリーブは、上記細長のシースの長さ沿いの側面流出開口に対して整列するように構成されている、該スリーブの長さ沿いの突出部を有する、請求項８記載のアダプター。
【請求項１０】
更に、上記細長のシースの外側に跳ね返るように構成された、上記スリーブの内側に設けられた弾性材料を有する、請求項８記載のアダプター。
【請求項１１】
上記弾性材料は、Ｏ−リングである、請求項１０記載のアダプター。
【請求項１２】
上記弾性材料は、シリコン又はウレタンからなる、請求項１０記載のアダプター。
【請求項１３】
上記細長の本体は、透明である、請求項２記載のアダプター。
【請求項１４】
上記細長の本体は、透明のウインドを有する、請求項２記載のアダプター。
【請求項１５】
上記細長の本体は、柔軟である、請求項２記載のアダプター。
【請求項１６】
上記細長の本体は、上記湾曲部を調整するために手動で変形可能である、請求項２記載のアダプター。
【請求項１７】
上記細長の本体は、上記湾曲部を調整するために熱の適用により変形可能である、請求項２記載のアダプター。
【請求項１８】
上記細長の本体は、子宮腔内に挿入されたときに変形する形状記憶材料から形成されている、請求項１７記載のアダプター。
【請求項１９】
上記形状記憶材料は、透明である、請求項１８記載のアダプター。
【請求項２０】
上記細長の本体は硬い、請求項２記載のアダプター。
【請求項２１】
上記細長の本体は、ポリカーボネート、ガラス、及びパイレックスからなるグループから選択される材料からなる、請求項２０記載のアダプター。
【請求項２２】
上記細長の本体は、調整可能なジョイントを有する、請求項２記載のアダプター。
【請求項２３】
上記調整可能なジョイントは、更に、１セットのスクリューを有する、請求項２２記載のアダプター。
【請求項２４】
上記細長の本体は、接続された複数の調整可能なシリンダーを有する、請求項２記載のアダプター。
【請求項２５】
上記接続された複数の調整可能なシリンダーは、ねじることによって調整可能である、請求項２４記載のアダプター。
【請求項２６】
同一でない複数のアダプターを有するキットにして、
同一でない複数のアダプターの各々は、
細長の本体であって、該本体の末端部と基端部との間に延在する中央管腔を含む細長の本体にして、上記末端部と基端部との間にある細長の本体の所定長さ沿いに湾曲部を含む細長の本体を有し、
上記基端部は、内視鏡の稼働チャネルに対して、取り外し自在に接続されるように構成されている、キット。
【請求項２７】
上記同一でない複数のアダプターは、上記複数の湾曲部用の複数の異なる曲率半径を有する、請求項２６記載のキット。
【請求項２８】
上記同一でない複数のアダプターは、上記複数の中央管腔用の複数の異なる偏向角を有する、請求項２６記載のキット。
【請求項２９】
更に、直線状アダプタ伸張部を有する、請求項２６記載のキット。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
ＰＡＰシステムであって、
加圧空気の供給を生成するＰＡＰ装置と、
患者の顔面との封止を形成するように適合された患者インターフェイスと、
前記患者インターフェイスと前記ＰＡＰ装置を相互接続する空気送達管類と、
前記ＰＡＰ装置の少なくとも一部分および前記空気送達管類の一部分を実質的に取り巻く被覆と、
を備え、
前記被覆は、別のヘッドギアストラップと協働して前記患者の頭部の周囲に巻き付いて、前記患者の頭部上に前記ＰＡＰシステムを安定化させて支持するヘッドギアストラップ部を含んでいる外被状またはスカーフ状の構成体を含む、ＰＡＰシステム。
【請求項２】
前記ヘッドギアストラップ部及び前記ヘッドギアストラップは、前記患者の鼻のそばで重複するように構成される、請求項１に記載のＰＡＰシステム。
【請求項３】
前記ヘッドギアストラップ部及び前記ヘッドギアストラップは、重複部で互いに接続される、請求項２に記載のＰＡＰシステム。
【請求項４】
前記ＰＡＰ装置は、減少した管の直径を空気送達管類に提供するために、前記患者の鼻に比較的近接して位置付けられるように適合される、請求項１から３のいずれか一項に記載のＰＡＰシステム。
【請求項５】
前記ＰＡＰ装置は、前記患者の鼻から約５０ｃｍ〜８０ｃｍに位置付けられるように適合され、約１０ｍｍから約２０ｍｍの管の直径を有する空気送達管が生じる、請求項４に記載のＰＡＰシステム。
【請求項６】
前記ＰＡＰシステムは反転可能であり、前記患者インターフェイスのどちらの側からも延伸することを可能にする、請求項１から５のいずれか一項に記載のＰＡＰシステム。
【請求項７】
前記ＰＡＰシステムは、前記患者の体又は顔面の左側又は右側まで横切って巻き付くように構成される、請求項１から６のいずれか一項に記載のＰＡＰシステム。
【請求項８】
前記ＰＡＰシステムは、前記患者の鼻の下側に沿って、頬の領域に沿って、耳の上方に、並びに、前記患者の頭部の頭頂および頭頂部の真上を走るように適合されたループを規定する、請求項１から７のいずれか一項に記載のＰＡＰシステム。
【請求項９】
前記ヘッドギアストラップ部は、頬の領域に沿って、耳の上方に、前記患者の頭部の後部の周囲に巻き付くように適合されており、前記ＰＡＰシステムを支持するための後部ストラップを規定するように前記ヘッドギアストラップの中間部に接続するように適合される、請求項１から８のいずれか一項に記載のＰＡＰシステム。
【請求項１０】
前記ヘッドギアストラップは、前記患者の鼻の下に、頬の領域に沿って、耳の上方に、及び、前記患者の頭部の頭頂の真上に巻き付くように適合されており、前記ＰＡＰシステムを支持するための頭頂ストラップを規定するように前記ヘッドギアストラップ部の中間部に接続するように適合される、請求項１から９のいずれか一項に記載のＰＡＰシステム。
【請求項１１】
前記被覆が、前記患者インターフェイスの１つまたは複数の部分を実質的に取り巻く、請求項１から１０のいずれか一項に記載のＰＡＰシステム。
【請求項１２】
前記ＰＡＰ装置が、約２〜３０ｃｍＨ２Ｏの範囲の加圧空気の供給を生成する、請求項１から１１のいずれか一項に記載のＰＡＰシステム。
【請求項１３】
前記患者インターフェイスが、ノズル、鼻プロング、ピロー、受け台、またはクッションの構成体を含む、請求項１から１２のいずれか一項に記載のＰＡＰシステム。
【請求項１４】
前記空気送達管類が、前記各管が第１の開いた段階と第２の少なくとも部分的に潰された段階との間を移行し得るように構造化された非円筒形の断面形状を含む、請求項１から１３のいずれか一項に記載のＰＡＰシステム。
【請求項１５】
前記被覆が織物材料で構築される、請求項１から１４のいずれか一項に記載のＰＡＰシステム。
【請求項１６】
前記患者インターフェイス、空気送達管類、被覆、および／または、ヘッドギアストラップが、前記患者の皮膚および／または頭髪と調和するために、異なる色、パターン、および／または、表面質感を含む材料で構築される、請求項１から１５のいずれか一項に記載のＰＡＰシステム。
【請求項１７】
前記被覆が、前記ＰＡＰ装置の１つまたは複数の部分を実質的に取り巻くポーチ部と、前記空気送達管類の１つまたは複数の部分を実質的に取り巻く管部とを含む、請求項１から１６のいずれか一項に記載のＰＡＰシステム。
【請求項１８】
前記被覆が、前記ＰＡＰ装置、患者インターフェイス、および空気送達管類の間の１つまたは複数の接続点を隠匿するか、覆い隠すか、または隠蔽するように構造化される、請求項１から１７のいずれか一項に記載のＰＡＰシステム。
【請求項１９】
前記ＰＡＰ装置が、前記患者が直立した体位にあるときには、前記患者の肩の真上に位置決めされるように適合され、および／または、前記患者が仰臥した体位にあるときには、前記患者の傍らに、付近に、もしくは隣接して位置決めされるように適合される、請求項１から１８のいずれか一項に記載のＰＡＰシステム。
【請求項２０】
前記ＰＡＰ装置が、前記患者が前記仰臥した体位にあるときに、前記患者の胸部付近に位置決めされるように適合される、請求項１９に記載のＰＡＰシステム。
【請求項２１】
前記ＰＡＰシステムが、ポータブルで軽量であり、前記患者が前記ＰＡＰシステムを着用している間に自由に動き回ることを可能にする、請求項１から２０のいずれか一項に記載のＰＡＰシステム。
【手続補正書】
【提出日】平成27年5月14日(2015.5.14)
【手続補正１】
【補正対象書類名】明細書
【補正対象項目名】００５６
【補正方法】変更
【補正の内容】
【００５６】
ステップ４２０において、デバイス１のキャップ１２は、デバイスの遠位端１０ｂに配置され、針取付部２４（および存在する場合には針）を覆う。キャップ１２が正確に固定されると、磁石１０２がリード・スイッチ１００と整列し（ステップ４３０）、スイッチ１００を開く。スイッチ１００の起動４３０の後、ＭＰＵ２４０に信号が送られる（ステップ４４０）。次いで、ＭＰＵ２４０は、第１の電気回路２００および第２の電気回路２２０と通信することによって、デバイス１の状態を問い合わせる（ステップ４５０）。第１の電気回路および／または第２の電気回路が、重大な動作が行われていることを示さなければ（判断点４６０）、ＭＰＵは、直接または第２の電気回路を介して、すべての他のデバイスの動作を終了させ、また電気的なスイッチング回路２５０を作動させることによってデバイスを停止し、電池２０５と第１の電気回路２００の間の電力を遮断する（ステップ４７０）。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
医療物品を体内空間内に配置するためのアクセスデバイスであって、
前記アクセスデバイスはシースを含み、
前記シースは、
近位部を含む管状シース本体と、
前記管状シース本体と連結されたシースハブであって、前記管状シース本体は熱に晒されると剛性の低下を示す材料を含む前記シースハブと、を含む、
アクセスデバイス。
【請求項２】
長細針本体および針ハブを有し、前記針ハブから前記針本体が延在する針と、
前記針本体上にスライド可能に配置され、拡張器ハブと、前記拡張器ハブから延在する長細拡張器シャフトとを含む拡張器と、をさらに含み、
前記管状シース本体は前記拡張器上に配置される、
請求項１に記載のアクセスデバイス。
【請求項３】
前記材料はウレタンポリカーボネートを含む請求項１または２のアクセスデバイス。
【請求項４】
前記シースハブの遠位端部および前記シース本体の隣接部分を少なくとも被覆するように構成されたカバーをさらに含む、請求項１乃至３のいずれかのアクセスデバイス。
【請求項５】
前記カバーは、ＥＰＤＭおよびポリプロピレンの混合物を含む請求項４のアクセスデバイス。
【請求項６】
前記カバーは、ほぼ６０部のＥＰＤＭおよび４０部分のポリプロピレンの混合物を含む請求項４または５のアクセスデバイス。
【請求項７】
前記カバーは銀をさらに含む請求項５または６のアクセスデバイス。
【請求項８】
前記シースは、前記管状シース本体の近位部の周囲に配置され前記シースハブから延在するリリーフ要素であって、前記近位部が前記シースハブに対して屈曲すると前記管状シース本体の近位部へ支持を提供するように構成されたリリーフ要素をさらに含み、
前記カバーは、前記リリーフ要素の少なくとも一部を被覆するように構成される、請求項４乃至７のいずれかのアクセスデバイス。  
【請求項９】
前記カバーは、前記シースハブと前記シース本体との間の遷移部を被覆するように構成される、請求項４乃至８のいずれかアクセスデバイス。
【請求項１０】
前記カバーは、前記シース本体全体を実質的に被覆するように構成される、請求項４乃至９のいずれかのアクセスデバイス。
【請求項１１】
前記シースは、
リリーフ要素であって前記管状シース本体の近位部の近位部の周囲に配置され、前記シースハブから延在するリリーフ要素であって、前記近位部が前記シースハブに対して屈曲すると、前記管状シース本体の近位部へ支持を提供するように構成されるたリリーフ要素、をさらに備える、請求項１乃至３のいずれかのアクセスデバイス。
【請求項１２】
前記リリーフ要素は、実質的に円錐切頭形状を含む、請求項８または１１のアクセスデバイス。
【請求項１３】
前記リリーフ要素の少なくとも一部を被覆するように構成されたカバーをさらに含み、
前記カバーはＥＰＤＭおよびポリプロピレンの混合物を含み、さらに銀を含む、
請求項１１のシース。
【請求項１４】
前記管状シース本体の前記材料は、約９８度の温度に晒されると剛性の低下を示す、請求項１乃至１３のいずれかのアクセスデバイス。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
ヘッドギアアセンブリであって、
半剛性のフレームと、軸方向に比較的非弾性のストラップの第一の集合と、前記軸方向に比較的非弾性のストラップの第一の集合に固定された軸方向に比較的弾性のストラップの第一の集合であって、前記非弾性のストラップの第一の集合と前記弾性のストラップの第一の集合が前記フレームの第一の位置に固定される、軸方向に比較的弾性のストラップの第一の集合と、前記フレームの、前記第一の位置から離れた第二の位置に固定された軸方向に比較的非弾性のストラップの第二の集合と、を含むヘッドギアアセンブリ。
【請求項２】
前記非弾性のストラップの第一の集合と前記弾性のストラップの第一の集合が前記半剛性フレームに枢動可能に接続された、請求項１に記載のヘッドギアアセンブリ。
【請求項３】
前記非弾性のストラップの第二の集合が単一構成要素として一体に形成され、前記非弾性のストラップの第二の集合が前記半剛性フレームの前記第二の位置の下に重なり、それによって前記非弾性のストラップの第二の集合が患者と前記半剛性フレームとの間に介在する、請求項１に記載のヘッドギアアセンブリ。
【請求項４】
前記単一構成要素の寸法が前記半剛性フレームより大きく、それによって前記単一構成要素によりタブを画定でき、前記単一構成要素が前記半剛性フレームの１つまたは複数の縁辺を覆うことができる、請求項３に記載のヘッドギアアセンブリ。
【請求項５】
前記比較的非弾性のストラップの第一の集合と前記比較的非弾性のストラップの第二の集合の少なくとも一方が取付開口部を含み、前記取付開口部がエンボス加工部によって取り囲まれる、請求項１に記載のヘッドギアアセンブリ。
【請求項６】
前記取付開口部が１つまたは複数の穴を含む、請求項５に記載のヘッドギアアセンブリ。
【請求項７】
前記取付開口部が１つまたは複数の十字型の穿孔を含む、請求項５に記載のヘッドギアアセンブリ。
【請求項８】
インタフェースアセンブリであって、
請求項１から７のいずれか一項に記載のヘッドギアアセンブリと、
マスクアセンブリと、を備え、
前記マスクアセンブリは、内骨格であって、中央部分を含み、前記中央部分の境界が肩部を画定する溝によって定められる内骨格と、前記内骨格の少なくとも一部の上に重なるシール部材であって、開口部を含み、前記内骨格の前記中央部分の少なくとも一部が前記シール部材の前記開口部を通して前方に露出するシール部材と、前記シール部材の少なくとも一部の上に重なる外骨格と、を含み、前記外骨格が開口部を画定するリムを含み、前記リムと前記肩部が嵌合して前記内骨格を前記外骨格に固定し、前記シール部材が前記内骨格と前記外骨格の間に固定され、前記内骨格の前記中央部分の少なくとも一部が、前記外骨格の前記開口部を通じて前方に露出するインタフェースアセンブリ。
【請求項９】
前記内骨格の前記中央部分が開口部を含み、呼吸チューブコネクタが前記内骨格の前記中央部分の前記開口部に固定される、請求項８に記載のインタフェースアセンブリ。
【請求項１０】
前記内骨格の前記中央部分が開口部を含み、窒息防止弁が前記内骨格の前記中央部分の前記開口部に固定される、請求項８に記載のインタフェースアセンブリ。
【請求項１１】
前記マスクアセンブリが、ほぼ水平に延びる平面よりほぼ縦方向の中心平面の周囲で撓み性が高い、請求項８から１０のいずれか一項に記載のインタフェースアセンブリ。
【請求項１２】
前記シール部材が、前記シール部材の前記開口部の境界を定めるフランジを含み、前記シール部材の前記フランジが前記内骨格の前記溝の中に位置付けられ、嵌合する前記内骨格と前記外骨格によって前記溝の中に固定される、請求項８から１１のいずれか一項に記載のインタフェースアセンブリ。